(57)【特許請求の範囲】
【請求項１】
車両に搭載された車載器と、
前記車両に搭載され、前記車両付近で受信可能なビーコン信号を送信するビーコン装置と、
料金所を通過する車両ごとに道路利用料金の明細情報を生成する料金所サーバと、
前記料金所サーバと通信可能、かつビーコン信号を受信可能な無線通信端末と、
を備え、
前記車載器は、前記料金所サーバとの間で道路利用料金の精算に関する情報をＤＳＲＣ（Dedicated Short Range Communication）に基づく無線通信によって送受信し、
前記無線通信端末は、受信したビーコン信号が予め定められた特定のビーコン装置から送信された信号である場合に、前記特定のビーコン装置を搭載する車両について生成された明細情報を前記料金所サーバから取得する、
情報提供システム。
【請求項２】
前記ビーコン信号は、暗号化された前記車載器の識別情報を示す信号であり、
前記無線通信端末は、前記ビーコン信号から前記識別情報を復号できた場合に、前記ビーコン信号が前記特定のビーコン装置から送信されたと判定する、
請求項１に記載の情報提供システム。
【請求項３】
前記無線通信端末は、ビーコン信号が前記特定のビーコン装置から受信された場合、前記料金所サーバに対して自装置の利用者の認証を要求し、
前記料金所サーバは、前記利用者を認証できた場合に、前記利用者についての明細情報の取得要求を受け付ける、
請求項１又は２に記載の情報提供システム。
【請求項４】
前記料金所サーバは、前記利用者の認証状態を所定期間だけ維持し、前記所定期間においては前記利用者についての以降の認証を省略する、
請求項３に記載の情報提供システム。
【請求項５】
車両に搭載された車載器が料金所サーバとの間で道路利用料金の精算に関する情報をＤＳＲＣ（Dedicated Short Range Communication）に基づく無線通信によって送受信するステップと、
前記料金所サーバが料金所を通過する車両ごとに前記道路利用料金の明細情報を生成するステップと、
前記車両に搭載されたビーコン装置が前記車両付近で受信可能なビーコン信号を送信するステップと、
前記料金所サーバと通信可能、かつビーコン信号を受信可能な無線通信端末が、受信したビーコン信号が予め定められた特定のビーコン装置から送信された信号である場合に、前記特定のビーコン装置を搭載する車両について生成された明細情報を前記料金所サーバから取得するステップと、
を有する情報提供方法。
【請求項６】
前記ビーコン信号は、暗号化された前記車載器の識別情報を示す信号であり、
前記無線通信端末は、前記ビーコン信号から前記識別情報を復号できた場合に、前記ビーコン信号が前記特定のビーコン装置から送信されたと判定する、
請求項５に記載の情報提供方法。
【請求項７】
前記無線通信端末は、ビーコン信号が前記特定のビーコン装置から受信された場合、前記料金所サーバに対して自装置の利用者の認証を要求し、
前記料金所サーバは、前記利用者を認証できた場合に、前記利用者についての明細情報の取得要求を受け付ける、
請求項５又は６に記載の情報提供方法。
【請求項８】
前記料金所サーバは、前記利用者の認証状態を所定期間だけ維持し、前記所定期間においては前記利用者についての以降の認証を省略する、
請求項７に記載の情報提供方法。
【請求項９】
車両に搭載された車載器が料金所サーバとの間で道路利用料金の精算に関する情報をＤＳＲＣ（Dedicated Short Range Communication）に基づく無線通信によって送受信するステップと、
前記料金所サーバが料金所を通過する車両ごとに前記道路利用料金の明細情報を生成するステップと、
前記車両に搭載されたビーコン装置が前記車両付近で受信可能なビーコン信号を送信するステップと、
前記料金所サーバと通信可能、かつビーコン信号を受信可能な無線通信端末が、受信したビーコン信号が予め定められた特定のビーコン装置から送信された信号である場合に、前記特定のビーコン装置を搭載する車両について生成された明細情報を前記料金所サーバから取得するステップと、
をコンピュータに実行させるためのコンピュータプログラム。
【請求項１０】
前記ビーコン信号は、暗号化された前記車載器の識別情報を示す信号であり、
前記無線通信端末は、前記ビーコン信号から前記識別情報を復号できた場合に、前記ビーコン信号が前記特定のビーコン装置から送信されたと判定する、
請求項９に記載のコンピュータプログラム。
【請求項１１】
前記無線通信端末は、ビーコン信号が前記特定のビーコン装置から受信された場合、前記料金所サーバに対して自装置の利用者の認証を要求し、
前記料金所サーバは、前記利用者を認証できた場合に、前記利用者についての明細情報の取得要求を受け付ける、
請求項９又は１０に記載のコンピュータプログラム。
【請求項１２】
前記料金所サーバは、前記利用者の認証状態を所定期間だけ維持し、前記所定期間においては前記利用者についての以降の認証を省略する、
請求項１１に記載のコンピュータプログラム。
【発明の詳細な説明】
【技術分野】
【０００１】
本発明の実施形態は、情報提供システム、情報提供方法及びコンピュータプログラムに関する。
【背景技術】
【０００２】
従来、道路利用料金の収受を無線通信によって実現するＥＴＣ（Electronic Toll Collection）システムが実用化されている。ＥＴＣシステムと無線通信を行うＥＴＣ車載器を搭載した車両は、料金所において車両を停止させることなく利用料金の精算を行うことができる。そして、ＥＴＣシステムを介して支払われた道路利用料金に関する情報（以下、「明細情報」という。）を、ＥＴＣカード会社から送付される請求書を待つことなく利用者にフィードバックする技術が検討されてきた。しかしながら、従来技術は、車載ナビゲーション装置に料金明細を表示させるものであった。そのため、個人情報である明細情報が他の同乗者に漏洩してしまう可能性があった。
【先行技術文献】
【特許文献】
【０００３】
【特許文献１】特開２００８−３３４０２号公報
【特許文献２】特開２００３−３３１３２９号公報
【特許文献３】特開２００８−０６５３９４号公報
【特許文献４】特開２００８−１８１１９７号公報
【発明の概要】
【発明が解決しようとする課題】
【０００４】
本発明が解決しようとする課題は、秘匿性を確保しつつ利用者に明細情報を提供することができる情報提供システム、情報提供方法及びコンピュータプログラムを提供することである。
【課題を解決するための手段】
【０００５】
実施形態の情報提供システムは、車載器と、ビーコン装置と、料金所サーバと、無線通信端末とを持つ。車載器は車両に搭載される。ビーコン装置は前記車両に搭載され、前記車両付近で受信可能なビーコン信号を送信する。料金所サーバは料金所を通過する車両ごとに道路利用料金の明細情報を生成する。無線通信端末は前記料金所サーバと通信可能、かつビーコン信号を受信可能である。前記車載器は、前記料金所サーバとの間で道路利用料金の精算に関する情報をＤＳＲＣ（Dedicated Short Range Communication）に基づく無線通信によって送受信する。前記無線通信端末は、受信したビーコン信号が予め定められた特定のビーコン装置から送信された信号である場合に、前記特定のビーコン装置を搭載する車両について生成された明細情報を前記料金所サーバから取得する。
【図面の簡単な説明】
【０００６】
【図１】ＥＴＣシステムの概要を示す概略図。
【図２】実施形態の端末装置３による明細情報の取得の概要を示す概略図。
【図３】実施形態のビーコン装置１及び端末装置３の機能構成を示す機能ブロック図。
【図４】ビーコン装置１及び端末装置３に対する事前設定の流れを示すフローチャート。
【図５】ＥＴＣによる道路利用料金の収受の流れを示すシーケンス図。
【図６】実施形態の端末装置３が明細情報を取得する流れを示すシーケンス図。
【図７】実施形態の端末装置３が明細情報を取得する流れを示すシーケンス図。
【図８】実施形態の端末装置３が明細情報を取得する流れを示すシーケンス図。
【発明を実施するための形態】
【０００７】
以下、実施形態の情報提供システム、情報提供方法及びコンピュータプログラムを、図面を参照して説明する。
【０００８】
図１は、ＥＴＣシステムの概要を示す概略図である。
図１は、車両１００が料金所２００に進入する様子を示している。料金所２００には、アンテナ装置２０１、ゲート装置２０２及び料金所サーバ２０３が設置されている。アンテナ装置２０１は車両１００と通信する。ゲート装置２０２は、ゲートの開閉により料金所２００における車両１００の退出を制御する。料金所サーバ２０３は、料金所２００における車両１００の通行管理を行う。上位サーバ３００（情報提供サーバ）は、通過した車両１００の道路利用料金に関する情報を料金所サーバ２０３から収集する。以下では、説明の便宜のため、料金所２００に設置された各装置及び上位サーバ３００をＥＴＣシステムと称する。
【０００９】
車両１００は、料金所手前のＥＴＣレーンを走行中にアンテナ装置２０１と無線通信を行う。ＥＴＣレーンとは、料金所に進入する車両を、ゲート装置２０２の前で整列するために設けられた通路である。ＥＴＣシステムに対応した料金所では、道路は料金所の手前でＥＴＣレーンに分岐し、料金所を経て再び合流する。図１は、このようなＥＴＣレーンのうちの一つを示したものである。
【００１０】
車両１００は、アンテナ装置２０１との無線通信において利用者情報を送信する。具体的には、利用者情報は、ＥＴＣシステムによる道路利用料金の精算に必要な利用者に関する情報である。利用者情報は、車両１００に搭載されたＥＴＣ車載器（図示せず）によって送信される。ＥＴＣ車載器は、車両と１対１に対応づけられ、対応する車両に固定的に設置される。ＥＴＣ車載器は、設置された車両に関する車両情報を予め記憶している。例えば、車両情報には、車両番号や車種などの情報が含まれる。また、ＥＴＣ車載器に挿入されるＥＴＣカードにはクレジットカードの番号や有効期限等のカード情報が予め記録されており、走行履歴や利用時間等の履歴情報が適宜記録される。ＥＴＣ車載器は、自装置に挿入されているＥＴＣカードから読み出したカード情報や履歴情報、自装置に予め記憶している車両情報などの情報に基づいて利用者情報を生成する。
【００１１】
アンテナ装置２０１は、車両１００から送信された利用者情報を受信する。アンテナ装置２０１は、受信した利用者情報を料金所サーバ２０３に送信する。料金所サーバ２０３は、アンテナ装置２０１から送信された利用者情報を受信する。料金所サーバ２０３は、アンテナ装置２０１から取得した利用者情報に基づいて、車両１００の道路利用料金を計算する。料金所サーバ２０３は、算出された道路利用料金に関する明細情報を生成し、車両１００に送信する。料金所サーバ２０３は、この明細情報の送信をもって車両１００の通行を許可し、ゲート装置２０２にゲートの開放を指示する。
【００１２】
なお、図１では、料金所サーバ２０３は、図示された１つのアンテナ装置２０１から利用者情報を取得しているが、実際は料金所２００の全てのＥＴＣレーンに設置されたアンテナ装置から利用者情報を取得する。そして、料金所サーバ２０３は、各アンテナ装置から取得した利用者情報に基づいて各ＥＴＣレーンについて通行管理を行う。
【００１３】
上位サーバ３００は、料金所サーバ２０３から送信された明細情報を受信する。図１では、上位サーバ３００は、図示された１つの料金所サーバ２０３から明細情報を取得しているが、実際は管理対象に含まれる料金所の全ての料金所サーバから明細情報を取得する。上位サーバ３００は、取得した明細情報をクレジットカード会社（図示せず）に送信し、道路利用料金の支払いの決裁を依頼する。
【００１４】
以上がＥＴＣシステムによる道路利用料金の収受の概要である。そして従来では、ＥＴＣ車載器が、ＥＴＣシステムから送信される明細情報を車載ナビゲーション装置などの他の車載装置に表示させることによって、利用者に明細情報が提供されていた。そのため、個人情報である明細情報が他の同乗者に漏洩してしまう可能性があった。これに対して、本実施形態の端末装置は、上記の車載装置に代わって明細情報を取得する。例えば、実施形態の端末装置として、スマートフォンやタブレットなどの携帯端末を用いる。このような端末装置を用いることによって、利用者は、秘匿性を確保しつつ明細情報を確認することが可能となる。
【００１５】
図２は、実施形態の端末装置３による明細情報の取得の概要を示す概略図である。
なお、図２の説明において、図１と同様の装置については図１と同じ符号を付すことにより説明を省略する。
【００１６】
図２の符号４００は、車両１００にビーコン装置１及びＥＴＣ車載器２が搭載されていることを表している。一般に、ビーコン装置とは、所定の情報を知らせるためのビーコン信号を発信する装置をいう。本実施形態では、ビーコン装置１は、予め特定のＥＴＣ車載器２と対応づけられ、対応するＥＴＣ車載器２と同じ車両１００に設置される。ビーコン装置１は、対応するＥＴＣ車載器２の識別情報をビーコン信号として発信する。
【００１７】
ＥＴＣ車載器２は、道路料金所に設置されたアンテナ装置２０１と無線通信を行う。例えば、ＥＴＣ車載器２は、５．８ＧＨｚ帯においてＤＳＲＣ（Dedicated Short Range Communication：専用狭域通信）という通信方式で無線通信を行う。ＥＴＣ車載器２は、ＥＴＣシステムとの通信により、道路利用料金の精算に関する各種処理を実行する。例えば、ＥＴＣ車載器２は、車両情報やカード情報等の情報に基づいて利用者情報を生成する。ＥＴＣ車載器２は、アンテナ装置２０１から通知される利用者情報の送信要求に応じて、生成した利用者情報をアンテナ装置２０１に送信する。また、ＥＴＣ車載器２は、アンテナ装置２０１から送信される道路利用料金に関する情報をＥＴＣカードに記録する。
【００１８】
端末装置３は、利用者が明細情報の確認に用いる端末装置である。例えば、端末装置３は、スマートフォンやタブレット、携帯電話等の携帯端末である。端末装置３は、無線ＬＡＮや公衆電話回線網を介して上位サーバ３００と無線通信を行うことが可能である。端末装置３には、明細情報を取得する専用のアプリケーション（以下、「明細アプリ」という。）が予めインストールされる。明細アプリは、端末装置３の利用者によって起動される。明細アプリは、端末装置３の他の動作や利用者の操作を妨げるものではなく、バックグラウンドでの動作が可能である。
【００１９】
端末装置３は、ビーコン装置１から発信されるビーコン信号を受信し、受信したビーコン信号が予め自装置に対応づけられたＥＴＣ車載器２を示す場合に、上位サーバ３００から明細情報を取得する。
【００２０】
以下、実施形態の端末装置３の構成について詳細に説明する。
【００２１】
図３は、実施形態のビーコン装置１及び端末装置３の機能構成を示す機能ブロック図である。
ビーコン装置１は、バスで接続されたＣＰＵ（Central Processing Unit）やメモリや補助記憶装置などを備え、ビーコン装置プログラムを実行する。ビーコン装置１は、ビーコン装置プログラムの実行によってビーコン情報記憶部１１及びビーコン信号送信部１２を備える装置として機能する。なお、ビーコン装置１の各機能の全て又は一部は、ＡＳＩＣ（Application Specific Integrated Circuit）やＰＬＤ（Programmable Logic Device）やＦＰＧＡ（Field Programmable Gate Array）等のハードウェアを用いて実現されてもよい。ビーコン装置プログラムは、コンピュータ読み取り可能な記録媒体に記録されてもよい。コンピュータ読み取り可能な記録媒体とは、例えばフレキシブルディスク、光磁気ディスク、ＲＯＭ、ＣＤ−ＲＯＭ等の可搬媒体、コンピュータシステムに内蔵されるハードディスク等の記憶装置である。ビーコン装置プログラムは、電気通信回線を介して送信されてもよい。
【００２２】
ビーコン情報記憶部１１は、磁気ハードディスク装置や半導体記憶装置などの記憶装置を用いて構成される。ビーコン情報記憶部１１には、予めビーコン情報が記憶される。ビーコン情報は、自装置からビーコン信号として送信される情報である。ビーコン情報は、所定の情報を暗号化することによって生成され、予めビーコン情報記憶部１１に記憶されている。本実施形態におけるビーコン情報は、自装置に対応するＥＴＣ車載器２の識別情報が暗号化された情報である。
【００２３】
ビーコン信号送信部１２は、ビーコン情報記憶部１１に記憶されたビーコン情報を、ビーコン信号として送信する。本実施形態では、ビーコン信号送信部１２は、電源が投入されている限り、常時ビーコン信号を発信する。そのため、ビーコン信号送信部１２の無線通信機能には、ＢＬＥ（Bluetooth（登録商標） Low Energy）等の低電力で動作可能な近距離無線通信技術を用いる。このような低電力の無線通信技術を用いることにより、ビーコン信号送信部１２は、電池等の内蔵電源で動作するように構成されてもよい。このように構成されることにより、ビーコン装置１は、車両１００のエンジンが停止している状態でも動作可能となる。また、ビーコン信号送信部１２の内蔵電源には、車両１００のエンジン動作により充電可能な蓄電池が用いられてもよい。このように構成されることにより、ビーコン装置１は、半永久的に継続して使用することが可能である。
【００２４】
上述したとおり、ビーコン装置１は、予め自装置に登録されたビーコン情報をビーコン信号として発信する機能を持つ装置である。このようなビーコン装置１は、他の装置との連携を必要とせず、自装置単体で動作するものである。そのため、利用者は、ビーコン装置１の導入に際して新たな専用のＥＴＣ車載器２を必要とせず、既存のＥＴＣ車載器２を搭載する車両１００に対して後付けでビーコン装置１を導入することが可能である。
【００２５】
次に、端末装置３の構成について説明する。
端末装置３は、バスで接続されたＣＰＵやメモリや補助記憶装置などを備え、端末装置プログラムを実行する。端末装置３は、端末装置プログラムの実行によって上位サーバ通信部３１、記憶部３２、ビーコン信号受信部３３及びアプリ制御部３４（情報取得部）を備える装置として機能する。なお、端末装置３の各機能の全て又は一部は、ＡＳＩＣやＰＬＤやＦＰＧＡ等のハードウェアを用いて実現されてもよい。端末装置プログラムは、コンピュータ読み取り可能な記録媒体に記録されてもよい。コンピュータ読み取り可能な記録媒体とは、例えばフレキシブルディスク、光磁気ディスク、ＲＯＭ、ＣＤ−ＲＯＭ等の可搬媒体、コンピュータシステムに内蔵されるハードディスク等の記憶装置である。端末装置プログラムは、電気通信回線を介して送信されてもよい。
【００２６】
上位サーバ通信部３１は、無線通信ネットワークに接続するための通信インターフェースを用いて構成される。例えば、上位サーバ通信部３１は、Ｗｉ−Ｆｉ（Wireless Fidelity）（登録商標）により規格化された無線ＬＡＮや、３Ｇ（3rd Generation：第３世代移動通信システム）等の無線通信回線により提供される無線通信ネットワークに接続する。
【００２７】
記憶部３２は、磁気ハードディスク装置や半導体記憶装置などの記憶装置を用いて構成される。記憶部３２は、ビーコン信号の復号に必要な鍵情報を予め記憶している。また、記憶部３２は、明細アプリの実行モジュールを予め記憶している。
【００２８】
ビーコン信号受信部３３は、ビーコン装置１から送信されるビーコン信号を受信する。ビーコン信号受信部３３は、受信したビーコン信号をアプリ制御部３４に出力する。
【００２９】
アプリ制御部３４は、明細アプリの実行によって生成される機能部である。アプリ制御部３４は、ＣＰＵが記憶部３２に記憶されている明細アプリの実行モジュールをメモリ上に読み出し、実行することによって生成される。アプリ制御部３４は、ビーコン信号受信部３３によって受信されたビーコン信号を取得する。アプリ制御部３４は、記憶部３２に記憶されている鍵情報を用いて、取得したビーコン信号を復号する。アプリ制御部３４は、ビーコン信号の復号によってビーコン情報を取得する。アプリ制御部３４は、正常にビーコン情報を取得できた場合、上位サーバ通信部３１を介して上位サーバ３００にアクセスし、上位サーバ３００から利用者の明細情報を取得する。
【００３０】
このように、端末装置３が、ビーコン装置１から送信されるビーコン信号に基づいて上位サーバ３００にアクセスすることにより、明細情報が他の利用者の端末装置に取得されることを抑制することができる。上述したとおり、この制御には、ビーコン装置１によるビーコン信号の送信と、端末装置３によるビーコン信号の復号が必要である。そのため、上記機能の実現には、ビーコン装置１及び端末装置３に対してビーコン信号の送受信に関する事前作業（以下、「事前設定」という。）が必要となる。
【００３１】
図４は、ビーコン装置１及び端末装置３に対する事前設定の流れを示すフローチャートである。
ここでは、ＥＴＣ車載器２を予め備えている車両に対して、ビーコン装置１が新規追加される場合を例に事前設定の流れを説明する。まず、利用者の車両にビーコン装置１が設置される（ステップＳ１０１）。例えば、ビーコン装置１は販売元の整備業者（以下、「業者」という。）によって利用者の車両に設置される。業者は、設置したビーコン装置１に固有の鍵情報を生成する（ステップＳ１０２）。また、業者は、ビーコン装置１に対応づけるＥＴＣ車載器２の識別情報を生成する（ステップＳ１０３）。例えば、業者は、車両情報に含まれる車両番号を取得する。業者は、取得した車両番号に基づいて、ＵＵＩＤ（Universally Unique Identifier）を生成する。ＵＵＩＤとは、重複のない一意な識別情報である。
【００３２】
業者は、ステップＳ１０２において生成した鍵情報と、ステップＳ１０３において生成した識別情報とに基づいてビーコン情報を生成する（ステップＳ１０４）。具体的には、業者は、生成した識別情報を、鍵情報を用いて暗号化することによりビーコン情報を生成する。業者は、生成したビーコン情報をビーコン装置１に登録する（ステップＳ１０５）。この作業により、ビーコン情報がビーコン装置１のビーコン情報記憶部１１に記憶される。
【００３３】
以上の処理によって、ビーコン装置１の事前設定が完了する。事前設定が完了すると、ビーコン装置１はビーコン信号の送信を開始する。具体的には、ビーコン信号送信部１２が、業者により登録されたビーコン情報をビーコン情報記憶部１１から取得する。ビーコン信号送信部１２は、取得したビーコン情報をビーコン信号に変換して発信する。
【００３４】
一方、業者は、利用者のビーコン装置１に対して生成した鍵情報を端末装置３の利用者に提供する。業者は、第三者に漏洩することのない手段を用いて鍵情報を提供する。例えば、業者は、鍵情報が記録された記憶媒体を、秘匿性を有する郵送手段で郵送してもよいし、認証や暗号化等を用いた秘匿性を有する通信手段により鍵情報を送信してもよい。利用者は、業者から提供された鍵情報を端末装置３に登録する（ステップＳ１０６）。この作業により、鍵情報が端末装置３の記憶部３２に記憶される。
【００３５】
以上の処理によって、端末装置３の事前設定が完了する。事前設定が完了すると、利用者は、明細アプリを起動する。明細アプリの起動により、端末装置３は、ビーコン装置１から送信されるビーコン信号の受信を開始する。
【００３６】
図５は、ＥＴＣによる道路利用料金の収受の流れを示すシーケンス図である。
利用者の車両１００が料金所２００に接近すると、ＥＴＣ車載器２は、料金所２００に設置されたアンテナ装置２０１との間で通信を開始する。アンテナ装置２０１との通信が開始されると、ＥＴＣ車載器２は、カード情報及び車両情報を取得して、利用者情報を生成する。ＥＴＣ車載器２は、生成した利用者情報を、アンテナ装置２０１を介して料金所サーバ２０３に送信する（ステップＳ２０１）。
【００３７】
料金所サーバ２０３は、ＥＴＣ車載器２から送信された利用者情報を、アンテナ装置２０１を介して受信する（ステップＳ２０２）。料金所サーバ２０３は、利用者情報に基づいて、当該車両１００の道路利用料金を計算する（ステップＳ２０３）。料金所サーバ２０３は、計算した道路利用料金に基づいて、当該車両１００の道路利用に関する明細情報を生成し、上位サーバ３００に送信する（ステップＳ２０４）。
【００３８】
上位サーバ３００は、料金所サーバ２０３から送信された明細情報を受信する（ステップＳ２０５）。上位サーバ３００は、このように受信される明細情報を自装置に蓄積する（ステップＳ２０６）。
【００３９】
図６、図７及び図８は、実施形態の端末装置３が明細情報を取得する流れを示すシーケンス図である。
まず、ビーコン装置１がビーコン信号を発信する（ステップＳ３０１）。ここで利用者は、端末装置３において、明細アプリを起動させるとともに、端末装置３をビーコン装置１の無線通信の範囲内に移動させる。端末装置３は、ビーコン信号受信部３３を介して、ビーコン装置１から送信されたビーコン信号を受信する（ステップＳ３０２）。
【００４０】
アプリ制御部３４は、ビーコン装置１から送信されたビーコン信号を取得するとともに、記憶部３２から鍵情報を取得する。アプリ制御部３４は、取得した鍵情報に基づいて、取得したビーコン信号を復号する（ステップＳ３０３）。アプリ制御部３４は、ビーコン信号の復号により、正常にビーコン情報が取得されたか否かを判定する（ステップＳ３０４）。ビーコン情報が正常に取得されなかったと判定した場合（ステップＳ３０４−ＮＯ）、アプリ制御部３４は、ビーコン信号を発信したビーコン装置１が自装置に対応づけられた装置でないと判断する。この場合、アプリ制御部３４は、ステップＳ３０２に戻り、ビーコン信号の受信を継続する。
【００４１】
一方、ビーコン情報が正常に取得されたと判定した場合（ステップＳ３０４−ＹＥＳ）、アプリ制御部３４は、上位サーバ３００に認証情報を送信する（ステップＳ３０５）。認証情報は、上位サーバ３００へのアクセスに必要な情報であり、例えば、ユーザＩＤ及びパスワードであり、利用者の操作によって入力される。このように、ＥＴＣ車載器２の識別情報が暗号化されたビーコン情報が送受信されることにより、端末装置３を特定のビーコン装置１が発信するビーコン信号に基づいて動作させることが可能となる。
【００４２】
上位サーバ３００は、端末装置３から送信された認証情報を受信する（ステップＳ３０６）。上位サーバ３００は、認証情報に基づいて、認証情報を送信した端末装置３の利用者を認証する（ステップＳ３０７）。上位サーバ３００は、認証情報の送信元の端末装置３に認証結果を送信する（ステップＳ３０８）。ここで、上位サーバ３００は、送信元の利用者を認証できた場合、当該端末装置３の認証状態を以降の所定期間維持するように構成されてもよい。この認証状態の維持により、利用者は次回以降の上位サーバ３００へのアクセスにおいて認証情報を端末装置３に入力する操作を省略することができる。例えば、利用者は、端末装置３をビーコン装置１の無線範囲内に移動させるだけで上位サーバ３００へのアクセスが可能となる。
【００４３】
端末装置３は、上位サーバ３００から送信された認証結果を受信する（ステップＳ３０９）。アプリ制御部３４は、受信された認証結果に基づいて、自装置のアクセスが認証されたか否かを判定する（ステップＳ３１０）。自装置のアクセスが認証されなかったと判定した場合（ステップＳ３１０−ＮＯ）、アプリ制御部３４は、利用者に認証エラーを通知し（ステップＳ３１１）、ステップＳ３０２に戻る。
【００４４】
一方、自装置のアクセスが認証されたと判定した場合（ステップＳ３１０−ＹＥＳ）、アプリ制御部３４は、上位サーバ３００に送信するリクエスト情報を生成する（ステップＳ３１２）。リクエスト情報は、上位サーバ３００に対して利用者の明細情報の送信を要求するための情報である。アプリ制御部３４は、利用者の識別情報をリクエスト情報に含める。アプリ制御部３４は、生成したリクエスト情報を上位サーバ３００に送信する（ステップＳ３１３）。
【００４５】
上位サーバ３００は、端末装置３から送信されたリクエスト情報を受信する（ステップＳ３１４）。上位サーバ３００は、自装置に蓄積した明細情報から、リクエスト情報が示す利用者の明細情報を取得する（ステップＳ３１５）。上位サーバ３００は、取得した明細情報を、リクエスト情報の送信元の端末装置３に送信する（ステップＳ３１６）。
【００４６】
端末装置３は、上位サーバ３００から送信された明細情報を受信する（ステップＳ３１７）。アプリ制御部３４は、受信した明細情報を自装置の表示部（図示せず）に表示させる（ステップＳ３１８）。
【００４７】
このように構成された実施形態の端末装置３は、予め対応づけられたビーコン装置１から送信されるビーコン信号を受信した場合に、上位サーバ３００から明細情報を取得する。端末装置３が、このような明細情報の取得を行うことによって、利用者は、他の同乗者に見られることのないように明細情報を確認することができる。そのため、実施形態のビーコン装置１及び端末装置３を備える料金明細照会システムは、秘匿性を確保しつつ利用者に料金明細を提供することができる。
【００４８】
また、実施形態におけるビーコン装置１は、利用者情報が暗号化されたビーコン情報を、ビーコン信号として送信する。そして、ビーコン信号を受信する端末装置３は、受信したビーコン信号を正常に復号できた場合に、上位サーバ３００から明細情報を取得する。ビーコン情報を生成するための鍵情報は、ビーコン装置１に対応する端末装置３にのみ設定される。そのため、実施形態の端末装置３は、第三者の端末装置が不正に明細情報を取得することを抑制することができる。
【００４９】
また、従来、明細情報をインターネット上で照会可能なサービスは存在しているが、このようなサービスでは、利用者は照会の都度認証情報を入力する必要があった。これに対して、実施形態の端末装置３は、予め対応づけられたビーコン装置１からビーコン情報を取得できた場合にのみ上位サーバ３００にアクセスする。このようなアクセスを行う端末装置３は、上位サーバ３００にアクセスする時点で既に認証済みであると考えることができる。そのため、上位サーバ３００がこのようなアクセスを行う端末装置３の認証状態を所定期間維持することにより、利用者は上位サーバ３００へのアクセスにおいて、認証情報をアクセスの都度入力する必要がなくなる。そのため、実施形態の端末装置３は、明細情報の取得における利用者の操作の煩雑さを低減させることと、明細情報の秘匿性を確保することとの両立を実現することができる。
【００５０】
＜変形例＞
明細情報が端末装置３に提供される態様は、端末装置３が上位サーバ３００から取得する態様に限定されない。例えば、明細情報は、上位サーバ３００からプッシュ配信されてもよい。プッシュ配信とは、クライアントの情報取得要求によらず、サーバがクライアントに対して能動的に情報を送信する情報配信方法である。この場合、端末装置３は、明細情報をプッシュ配信により取得する旨を通知するリクエスト情報を上位サーバ３００に送信する。その場合、端末装置３は、プッシュ配信の対象とする情報や配信タイミング等の配信条件を指定する情報をリクエスト情報に含めてもよい。上位サーバ３００は、リクエスト情報が示す配信条件に応じて、当該利用者の明細情報をプッシュ配信する。
【００５１】
また、上記方法によって利用者に提供される情報は明細情報に限定されない。例えば、ＥＴＣ車載器２がＤＳＲＣ車載器としての機能を備える場合、端末装置３は、ＩＴＳシステムが提供する様々な交通に関する情報を取得することができる。例えば、端末装置３は、道路の混雑状況や事故などの情報や、サービスエリアで使用可能なクーポンに関する情報などを取得することができる。例えば、上位システムから、向かう先にあるサービスエリアで利用可能な電子クーポンや、混雑情報・交通情報をスマートフォンに自動配信したりすることが可能である。
【００５２】
また、明細情報は、上位サーバ３００からどのような態様で送信されてもよい。例えば、明細情報は、ウェブブラウザで表示可能なＨＴＭＬ（Hyper Text Markup Language）の態様で送信されてもよいし、電子メールの態様で送信されてもよい。
【００５３】
また、上記実施形態では、明細アプリは利用者によって起動されるものとして説明したが、端末装置３によって自動的に起動されてもよい。例えば、この場合、ビーコン信号からビーコン情報を取得する機能を明細アプリ以外に持たせる。具体的には、図６におけるステップＳ３０３及びＳ３０４の処理を、例えば端末装置３のＯＳ（Operating System）に実行させる。端末装置３のＯＳは、ビーコン信号から正常にビーコン情報を取得できた場合、明細アプリが起動されているか否かを判定する。明細アプリが起動されていない場合、端末装置３のＯＳは、取得したビーコン情報を入力情報として明細アプリを起動する。
【００５４】
以上説明した少なくともひとつの実施形態によれば、ビーコン装置から送信されるビーコン信号を受信するビーコン信号受信部と、ビーコン信号受信部によって受信されたビーコン信号が、自装置と予め対応づけられたビーコン装置から送信されたビーコン信号である場合に、情報提供サーバから利用者に関する情報を取得する情報取得部と、を持つことにより、秘匿性を確保しつつ利用者に明細情報を提供することができる。
【００５５】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００５６】
１…ビーコン装置、１１…ビーコン情報記憶部、１２…ビーコン信号送信部、２…ＥＴＣ（Electronic Toll Collection）車載器、３…端末装置、３１…上位サーバ通信部、３２…記憶部、３３…ビーコン信号受信部、３４…アプリ制御部、１００…車両、２００…料金所、２０１…アンテナ装置、２０２…ゲート装置、２０３…料金所サーバ、３００…上位サーバ
【図１】
0006580868.tif 000002
【図２】
0006580868.tif 000003
【図３】
0006580868.tif 000004
【図４】
0006580868.tif 000005
【図５】
0006580868.tif 000006
【図６】
0006580868.tif 000007
【図７】
0006580868.tif 000008
【図８】
0006580868.tif 000009